(57)【要約】【課題】動作するまでの押し込み量の調整を容易にする。【解決手段】ボタン型スイッチであって、ユーザの押し込み量に応じて変位するボタン部と、変位した前記ボタン部の位置を検知する位置検知部と、位置検知部が検知した位置が設定値と一致した場合に一の回路を開閉させる中間開閉部と、ボタン部が設定値を越えて更に押し込まれた場合に他の回路を開閉させる主開閉部と、設定値を設定する設定部とを備える。上記ボタン型スイットは、ボタン部が押し込まれて所与の位置に達した場合にボタン部に当接して、押し込みに抗する反力を生じる反力発生部を更に備えてもよい。【選択図】図３
2010192410.tif 000002
【特許請求の範囲】
【請求項１】
ユーザの押し込み量に応じて変位するボタン部と、
変位した前記ボタン部の位置を検知する位置検知部と、
前記位置検知部が検知した位置が設定値と一致した場合に一の回路を開閉させる中間開閉部と、
前記ボタン部が前記設定値を越えて更に押し込まれた場合に他の回路を開閉させる主開閉部と
前記設定値を設定する設定部と
を備えることを特徴とするボタン型スイッチ。
【請求項２】
前記ボタン部が押し込まれて所与の位置に達した場合に前記ボタン部に当接して、押し込みに抗する反力を生じる反力発生部を更に備えることを特徴とする請求項１に記載のボタン型スイッチ。
【請求項３】
前記設定部は、前記所与の位置よりも更に前記ボタン部が押し込まれた位置に前記設定値を設定することを特徴とする請求項２に記載のボタン型スイッチ。
【請求項４】
前記位置検知部は、非接触式センサにより前記位置を検知することを特徴とする請求項１から請求項３までのいずれかに記載のボタン型スイッチ。
【請求項５】
前記位置検知部は、
前記ボタン部と共に変位する磁化された磁性体と、
前記磁性体の形成する磁界を計測する磁気センサと
を含むことを特徴とする請求項４に記載のボタン型スイッチ。
【請求項６】
前記位置検知部は、前記ボタン部の位置を光学的に検出する光学センサを含むことを特徴とする請求項４に記載のボタン型スイッチ。
【請求項７】
前記中間開閉部は、互いに異なる複数の設定値を有し、前記検知部が検知した位置が前記複数の設定値のいずれかに一致した場合に、それぞれ異なる回路を開閉させることを特徴とする請求項１から請求項６までのいずれかに記載のボタン型スイッチ。
【請求項８】
請求項１から請求項７までのいずれかに記載のボタン型スイッチと、
前記ボタン型スイッチにおいて前記主開閉部が回路を閉じた場合に撮像を開始する撮像部と
を備えることを特徴とする撮像装置。
【請求項９】
前記中間開閉部は、前記撮像部に測光を開始させる第1設定値と、前記撮像部に動画の撮影を開始させる第２設定値とを有し、
前記主開閉部は、前記撮像部に静止画を撮像させる
ことを特徴とする請求項８に記載の撮像装置。
【請求項１０】
請求項１から請求項６までのいずれかに記載のボタン型スイッチと、
前記ボタン型スイッチにおいて前記中間開閉部が回路を閉じた場合に動作する電子回路と、前記主開閉部が回路を閉じた場合に動作する他の電子回路と
を備えることを特徴とする電子装置。
【発明の詳細な説明】
【技術分野】
【０００１】
本発明は、ボタン型スイッチ、撮像装置および電子装置に関する。
【背景技術】
【０００２】
下記の特許文献１には、カメラのレリーズスイッチとして用いるボタン型スイッチが記載される。このレリーズスイッチは、ボタンの半押しで導通する接点と、更にボタンを押し込んだ場合に導通する接点とを備える。また、半押しで接点が導通するまでのストロークを雄ねじ部材により調整できる。
【０００３】
下記の特許文献２に記載のレリーズスイッチは、レリーズボタンに内蔵した調整部材により、各接点が導通するまでのストロークを調整できる。下記特許文献３に記載のレリーズスイッチは、半押しで接点が導通するまでのストロークを調整ねじで調整できる。
【先行技術文献】
【特許文献】
【０００４】
【特許文献１】特開平９−３２５４０７号公報
【特許文献２】特開平１１−３３８００４号公報
【特許文献３】特開２００６−３１７４８２号公報
【発明の概要】
【発明が解決しようとする課題】
【０００５】
しかしながら、特許文献１に記載の構造では、ストロークを調整する場合に、筐体を開いて内部を露出させることが求められる。また、特許文献２に記載の構造では、ストロークを調整する場合に、レリーズボタンを取り外すことが求められる。このため、屋外等では、取り外した部品を紛失し、あるいは、ボディの内部に塵芥が入り込むことがある。
【０００６】
特許文献３に記載の構造は、調整に工具を用いる。更に、いずれの構造においても、調整結果は、レリーズスイッチを動作させてみるまで確認できない。このため、例えば、撮影の合間に押し込み量を調整することは難しい。
【課題を解決するための手段】
【０００７】
そこで、上記課題を解決すべく、本発明の第１の態様として、ユーザの押し込み量に応じて変位するボタン部と、変位した前記ボタン部の位置を検知する位置検知部と、位置検知部が検知した位置が設定値と一致した場合に一の回路を開閉させる中間開閉部と、ボタン部が設定値を越えて更に押し込まれた場合に他の回路を開閉させる主開閉部と、設定値を設定する設定部とを備えることを特徴とするボタン型スイッチが提供される。
【０００８】
また、本発明の第２の態様として、上記のボタン型スイッチと、ボタン型スイッチにおいて主開閉部が回路を閉じた場合に撮像を開始する撮像部とを備えることを特徴とする撮像装置が提供される。
【０００９】
更に、本発明の第３の態様として、上記のボタン型スイッチと、ボタン型スイッチにおいて中間開閉部が回路を閉じた場合に動作する電子回路と、主開閉部が回路を閉じた場合に動作する他の電子回路とを備えることを特徴とする電子装置が提供される。
【図面の簡単な説明】
【００１０】
【図１】撮像装置１００全体の形状を示す斜視図である。
【図２】撮像装置１００の背面図である。
【図３】レリーズスイッチ２００の機械的構造を模式的に示す断面図である。
【図４】レリーズスイッチ２００が動作した状態を示す断面図である。
【図５】レリーズスイッチ２００が動作した状態を示す断面図である。
【図６】レリーズスイッチ２００が動作した状態を示す断面図である。
【図７】レリーズスイッチ２００の電気的な構造を示すブロック図である。
【図８】レリーズスイッチ２００におけるストロークと荷重の関係を示すグラフである。
【図９】設定画面３００の一例を示す図である。
【図１０】設定画面３００の他の例を示す図である。
【図１１】他の設定画面３００を示す図である。
【図１２】レリーズスイッチ２００の他の機械的構造を模式的に示す図である。
【図１３】ポインティングデバイス４００の外観を示す斜視図である。
【発明を実施するための形態】
【００１１】
以下、発明の実施の形態を通じて本発明を説明する。しかしながら、以下の実施形態は特許請求の範囲に係る発明を限定するものではない。また、実施形態の中で説明されている特徴の組み合わせの全てが発明の解決手段に必須であるとは限らない。
【００１２】
図１は、撮像装置１００全体の形状を示す斜視図である。撮像装置１００は、ボディマウント１３０を有する筐体１１０と、筐体１１０の上面を封止する、閃光装置１４０を有するカバー部１２０とを備える。なお、撮像装置１００を用いて画像を記録する場合は、ボディマウント１３０に、レンズ鏡筒が装着される。
【００１３】
筐体１１０およびカバー部１２０の表面には、表示部１７０およびコネクタカバー１５０に覆われたコネクタの他に、それぞれ複数のレバースイッチ１６０、ダイヤルスイッチ１８０および押しボタン１９０が配される。
【００１４】
レバースイッチ１６０は、電源スイッチ、選択肢の少ないモード切り換え等の機能を有する。ダイヤルスイッチ１８０は、選択肢の多いモード切り換え、設定値の増減等の機能が割り当てられる。
【００１５】
押しボタン１９０には、マウントのロック、ミラーアップ、プレビュー等の機械的な機能を有するものと、設定値を増減するダイヤルスイッチ１８０の操作対象となるパラメータを選択する電気スイッチとが含まれる。また、図では見えない筐体１１０またはカバー部１２０の裏面には、自動合焦機構、自動露出機構等の動作を一時的にロックする電気スイッチも設けられている。
【００１６】
更に、カバー部１２０には、レリーズスイッチ２００も設けられる。レリーズスイッチ２００も、押し込むことによりシャッタレリーズを動作させる押しボタン１９０の形態を有する。しかしながら、レリーズスイッチ２００は、完全に押し込んでシャッタレリーズが動作するまでの過程にある半押し状態において、対象とする回路を閉じる固有の機能を有する。
【００１７】
図２は、撮像装置１００の背面図である。撮像装置１００は、その背面にも複数のレバースイッチ１６０、ダイヤルスイッチ１８０および押しボタン１９０が配される。ここでも、それぞれのスイッチ類は、その機能に応じた形態が選択されている。
【００１８】
また、撮像装置１００は、背面に大型表示部１７２を備える。大型表示部１７２は、高い解像度と広い表示面積を有し、イメージセンサにより撮影された画像を再生する場合に使用する他、撮像装置１００の動作条件を設定する場合にも、ユーザに対するインターフェースの一部として用いられる。
【００１９】
図３は、レリーズスイッチ２００の機械的構造を模式的に示す断面図である。レリーズスイッチ２００は、ボタン部２１０、コイルばね２２０、板ばね２３０、基板２５０等を備える。
【００２０】
ボタン部２１０は、カバー部１２０の外側に露出してユーザの押し込みを受ける頂面を有する。コイルばね２２０は、カバー部１２０の外側とボタン部２１０との間に挟まれ、ボタン部２１０を上昇させる方向に付勢する。
【００２１】
また、ボタン部２１０は、カバー部１２０を貫通して内部に延在するステム２１２を一体に有する。ステム２１２の中程には、ステム２１２よりも径の大きなＥリング２１４が装着される。図示の状態では、Ｅリング２１４がカバー部１２０の裏面に当接することにより、コイルばね２２０により付勢されたボタン部２１０がカバー部１２０から抜け落ちることを防止している。
【００２２】
更に、ステム２１２の下方には、板ばね２３０が水平に配される。板ばね２３０の一端は、後述する導通片２４０、スペーサ２５６および基板２５０と共に、固定ビス２６０によりカバー部１２０の裏面（図中では下面）に固定される。
【００２３】
また、レリーズスイッチ２００は、主開閉部２０１を形成する部材として、導通片２４０と、基板２５０上の接点２５２とを備える。導通片２４０は、ステム２１２直下の下面に接点２４２を有して、ステム２１２の下方に水平に配される。
【００２４】
更に、導通片２４０の下方には、基板２５０が、導通片２４０と平行に配される。基板２５０の上面において、接点２４２の直下には接点２５２を有する。導通片２４０は、板ばね２３０に接して配されるが、基板２５０は、スペーサ２５６を介して、導通片２４０から離れた状態でカバー部１２０に固定される。これにより、導通片２４０の接点２４２と、基板２５０の接点２５２とは、図示の状態では互いに離間している。
【００２５】
基板２５０は、もう一方の端部も、スペーサ２５４を介して、固定ビス２６０ニヨリカバー部の裏面に固定される。これにより、基板２５０は強固に位置決めされる。
【００２６】
更に、レリーズスイッチ２００は、中間開閉部２０２の一部を形成する部材として、磁性体片２７０および磁気センサ２８０を備える。磁性体片２７０は着磁されており、それ自体の周囲に一定の磁界を形成する。また、磁性体片２７０は、ステム２１２の下端近傍の側面に装着され、ボタン部２１０と一体的に昇降する。
【００２７】
磁気センサ２８０は、ブラケット２８２を介して、固定ビス２６０によりカバー部１２０の裏面に固定される。固定された磁気センサ２８０は、磁性体片２７０と対向するように、ステム２１２の側方に配される。磁気センサ２８０としては、ホール素子等を用いることができる。
【００２８】
なお、ブラケット２８２と共に、ストッパ２８４がカバー部１２０の裏面に、固定ビス２６０により共締めされる。ストッパ２８４の下面は、板ばね２３０の他端を当接させて、ステム２１２に対する板ばね２３０の間隔を一定に保つ。更に、導通片２４０は板ばね２３０に沿って配されるので、導通片２４０の位置も、ストッパ２８４により決められる。
【００２９】
図４は、レリーズスイッチ２００が動作した状態を示す断面図である。なお、図３と共通の要素には同じ参照番号を付して重複する説明を省く。
【００３０】
図示のように、図４に示す状態では、レリーズスイッチ２００のボタン部２１０が僅かに押し込まれる。押し込まれたボタン部２１０と共にステム２１２の下端も降下して、やがて、ステム２１２の下端は、板ばね２３０の上面に当接する。
【００３１】
また、磁性体片２７０も、ボタン部２１０のステム２１２と共に降下する。従って、磁性体片２７０および磁気センサ２８０の相対位置も変化する。
【００３２】
図５は、レリーズスイッチ２００が動作した状態を示す断面図である。なお、図３および図４と共通の要素には同じ参照番号を付して重複する説明を省く。
【００３３】
図示のように、図５に示す状態では、レリーズスイッチ２００のボタン部２１０が更に押し込まれる。押し込まれたボタン部２１０と共にステム２１２も降下するので、ステム２１２の下端に押された板ばね２３０が弾性変形して、その一端はストッパ２８４から離れる。
【００３４】
この状態では、板ばね２３０の弾性により、コイルばね２２０の反力に加えて、板ばね２３０の反力がステム２１２を介してボタン部２１０にかかる。従って、ボタン部２１０を押し込むには、より大きな負荷をかけることが求められる。
【００３５】
また、導通片２４０も、板ばね２３０と共に変形する。これにより、導通片２４０の接点２４２も降下し始める。更に、磁性体片２７０は、依然としてボタン部２１０のステム２１２と共に降下する。従って、磁性体片２７０および磁気センサ２８０の相対位置も変化し続ける。
【００３６】
図６は、レリーズスイッチ２００が動作した状態を示す断面図である。なお、図３、図４および図５と共通の要素には同じ参照番号を付して重複する説明を省く。
【００３７】
図示のように、図６に示す状態では、レリーズスイッチ２００のボタン部２１０がまた更に押し込まれる。押し込まれたボタン部２１０と共にステム２１２も降下して板ばね２３０を更に変形させ、やがて、導通片２４０の接点２４２が、基板２５０の接点２５２に当接する。基板２５０は、両端で固定されて位置決めされているので、ボタン部２１０は、それ以上降下しなくなる。なお、磁性体片２７０もステム２１２と共に降下し続けるが、接点２４２、２５２が当接した時点で変位しなくなる。
【００３８】
図７は、レリーズスイッチ２００における中間開閉部２０２の電気的な構造を示すブロック図である。中間開閉部２０２は、磁気センサ２８０、位置検出部２８１、設定部２８３、比較器２８５および開閉器２８７を有する。
【００３９】
位置検出部２８１は、磁気センサ２８０の出力に応じて、ボタン部２１０の押し込みにより変化した磁性体片２７０の位置を数値化した測定値を生成する。設定部２８３には、ユーザが設定した半押し閾値が格納される。
【００４０】
比較器２８５は、位置検出部２８１から受けた測定値と、設定部２８３から受けた半押し閾値とを比較して、両者が一致した場合に、開閉器２８７をアクティブにする。これにより、ボタン部２１０が設定された位置まで押し込まれた場合に回路を閉じる中間開閉部２０２が形成される。
【００４１】
図８は、レリーズスイッチ２００における押し込み量（ストローク）と、ボタン部２１０に生じる反力（荷重）の関係を示すグラフである。図示のように、押し込まれたボタン部２１０が板ばね２３０に当接する押し込み量Ｘ１までの間は、押し込みにより圧縮変形されたコイルばね２２０が生じる反力がボタン部２１０に作用する。
【００４２】
続いて、図５に示したように、ステム２１２が板ばね２３０に当接した後もボタン部２１０を更に押し込んだ場合、コイルばね２２０による反力に加えて、板ばね２３０の曲げ変形により生じた反力がボタン部２１０に作用する。これにより、ボタン部２１０を押し込むユーザには、ボタン部２１０が板ばね２３０に当接する一定の位置まで押し込まれたことが感知される。
【００４３】
ボタン部２１０が更に深く押し込まれて、位置Ｍにおいて、図６に示したように接点２４２、２５２が当接した場合、ボタン部２１０はそれ以上押し込むことができなくなる。また、接点２４２、２５２が導通して主開閉部２０１が投入される。
【００４４】
ここで、ボタン部２１０に対する反力が増加する位置Ｐ１に半押し閾値を設定した場合、ボタン部２１０に対する反力の変化と同時に中間開閉部２０２の開閉器２８７が閉じる。従って、ボタン部２１０を押し込むユーザにとって、中間開閉部２０２は非常に敏感に感じられる。
【００４５】
一方、ボタン部２１０に対する反力が増加した後、主開閉部２０１が閉じるまでの間の位置Ｐ２に半押し閾値を設定した場合は、ボタン部２１０に対する反力の変化を感じた後に中間開閉部２０２の開閉器２８７が閉じる。従って、ユーザにとって、中間開閉部２０２は余裕のあるものに感じられる。
【００４６】
ただし、位置Ｐ２が、位置Ｍに近づくにつれて、中間開閉部２０２が閉じてから主開閉部２０１が直ぐに閉じるようになるので、主開閉部２０１が敏感に感じられるようになる。これら、主開閉部２０１および中間開閉部２０２の閉じるタイミングの組み合わせは、設定部２８３に設定値を設定することにより、ユーザの好みの他、撮像装置１００を用いる環境、撮影対象等の条件に応じて適宜選択される。
【００４７】
このように、中間開閉部２０２は、半押し閾値を電気的に設定できる。従って、撮像装置１００の内部を露出させ、あるいは、一部の部材を取り外すことなく、半押しのストロークを調整できる。
【００４８】
図９は、設定部２８３に対して半押し閾値を設定する場合に、撮像装置１００背面の大型表示部１７２に表示される設定画面３００の一例を示す図である。設定画面３００には、設定項目であるパラメータ３１０の種類と、パラメータ３１０の各々について設定できるバリュ３２０が表示される。ユーザは、この設定画面３００に対して、カーソル３３０を移動させることにより、求める半押し閾値を選択して設定することができる。
【００４９】
また、既に説明したように、中間開閉部２０２は、中間開閉部２０２が閉じるまでのボタン部２１０のストロークを電気的に設定できる。ここまでに挙げた例では、中間開閉部２０２は単一の半押し閾値を設定される。しかしながら、複数の半押し閾値を設定部２８３に設定することにより、中間開閉部２０２に、複数の回路を開閉させることもできる。
【００５０】
図１０は、大型表示部１７２に表示される設定画面３００の他の例を示す図である。設定画面３００には、ボタン部２１０の画像と、目盛り２１１とが近接して表示される。また、仮想の押しボタン３６２、３６４を含む操作ガイド３６０も表示される。
【００５１】
上記の設定画面３００において、ボタン部２１０の画像は、ボタン部２１０の実物を押した場合に、その押し込み量に応じて、実時間で下方に変位する動画表示３５０である。これにより、ユーザは、ボタン部２１０の押し込み量と反力を実際に感じながら、視覚化された押し込み量を見ることができる。
【００５２】
更に、中間開閉部２０２が動作する位置までボタン部２１０を押し込んだ状態で、「設定」と表示された仮想の押しボタン３６２を押すことにより、そのときのボタン部２１０の位置を半押し閾値として設定部２８３に設定することができる。また、設定した時点で、ボタン部２１０の画像の下端が示す目盛りを読んでおくことにより、図９に示した設定画面３００に表示された数値で当該設定を再現することができる。
【００５３】
図１１は、他の設定画面３００を示す図である。この設定画面３００に対応する中間開閉部２０２は、設定部２８３に対して２つの半押し閾値を設定でき、更に、それぞれの半押し閾値に対して、作用が及ぶ機能を個別に割り当てることができる。
【００５４】
図示の例では、ボタン部２１０を押し込んだ場合に、開閉器２８７が先に閉じる半押し１に対して、自動露出のロックを割り当てるか否かを選択することができる。また、動画等を撮影する場合に、自動合焦機構の連続的な動作開始を割り当てることもできる。
【００５５】
また、ボタン部２１０をより深く押し込んだ場合に開閉器２８７が閉じる半押し２に対しては、自動合焦のロック、動画の撮影開始等を割り当てることができる。更に、主開閉部２０１の導通に対して、静止画の撮影と、動画の撮影開始とを選択して割り当てることができる。
【００５６】
更に、半押し１、半押し２および主開閉部２０１に対する割り当ての組み合わせを、設定１から設定３までの格納領域３４０に記憶させて、それぞれ一括して呼び出すこともできる。これにより、例えば、静止画および動画を撮影できる撮像装置１００の操作性を向上させることができる。
【００５７】
図１２は、レリーズスイッチ２００の他の機械的構造を模式的に示す図である。なお、図１２に示す形態において、以下に説明する部分を除いた部分は、図３から図６までに示したレリーズスイッチ２００と同じ構造を有する。そこで、同じ要素には、共通の参照番号を付して重複する説明を省く。
【００５８】
このレリーズスイッチ２００は、磁気センサ２８０に換えてラインセンサ２８６を、磁性体片２７０に換えて貫通孔２７６をそれぞれ備える。また、図中でステム２１２の右側に、ブラケット２７２を介して固定ビス２６０によりカバー部１２０の裏面に固定された面発光体２７４を備える。
【００５９】
即ち、カバー部１２０の裏面において、ステム２１２の側方には、ステム２１２の長手方向に延在するラインセンサ２８６が配される。ラインセンサ２８６は、ステム２１２の長手方向に沿って配列された複数の受光素子を含む。一方、ステム２１２には、水平に穿たれた貫通孔２７６が形成される。
【００６０】
更に、レリーズスイッチ２００において、ステム２１２に対して、ラインセンサ２８６と反対側に、面発光体２７４が配される。面発光体２７４は、ラインセンサ２８６に対向した発光面を有する。また、発光面は、カバー部１２０の裏面に突出したステム２１２の略全長にわたって延在する。
【００６１】
面発光体２７４からステム２１２の側面に照射された光のうち、貫通孔２７６の一端から注入された光は、ステム２１２の反対側まで伝播して、ラインセンサ２８６に入射する。ラインセンサ２８６は、受光した受光素子を特定することにより、貫通孔２７６の高さを特定する。これにより、ボタン部２１０の押し込み量を検出することができる。
【００６２】
なお、ボタン部２１０の押し込み量検出構造は、これ限られるものではなく、使用し得るセンサの種類も多岐にわたる。また、非接触式センサに限定されるものでもない。
【００６３】
図１３は、ボタン型スイッチ４２０を備えたポインティングデバイス４００の外観を示す斜視図である。図示のように、ポインティングデバイス４００は、本体４１０に形成されたボタン型スイッチ４２０と、本体４１０から引き出されたケーブル４３０と、ケーブル４３０の終端に装着されたコネクタ４４０とを備える。
【００６４】
ポインティングデバイス４００は、ケーブル４３０およびコネクタ４４０を介して、パーソナルコンピュータ等の情報処理装置に接続して使用される。入力装置の一種として使用され、本体４１０を移動させることにより情報処理装置のディスプレイ上に表示されるカーソルを移動させ、ボタン型スイッチ４２０を押すことにより、情報処理装置に指示を伝える。
【００６５】
更に、このポインティングデバイス４００のボタン型スイッチ４２０は、その押し込み量により動作する主開閉部２０１と中間開閉部２０２とを有する。これにより、単一のボタン型スイッチ４２０を用いて、例えば「左クリック／右クリック」等のように複数種類の指示を発生することができる。また、ボタン型スイッチ４２０が中間開閉部２０２を動作させる場合の押し込み量を、デバイスドライバの設定ファイルに半押し閾値として書き込むことにより、要求に応じて変更することができる。
【００６６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００６７】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず」、「次に」等を用いて説明したとしても、この順で実施することが必須であることを意味するものではない。
【符号の説明】
【００６８】
１００  撮像装置、１１０  筐体、１２０  カバー部、１３０  ボディマウント、１４０  閃光装置、１５０  コネクタカバー、１６０  レバースイッチ、１７０  表示部、１７２  大型表示部、１８０  ダイヤルスイッチ、１９０  押しボタン、２００  レリーズスイッチ、２０１  主開閉部、２０２  中間開閉部、２１０  ボタン部、２１１  目盛り、２１２  ステム、２１４  Ｅリング、２２０  コイルばね、２３０  板ばね、２４０  導通片、２４２、２５２  接点、２５０  基板、２５４、２５６  スペーサ、２６０  固定ビス、２７０  磁性体片、２７２、２８２  ブラケット、２７４  面発光体、２７６  貫通孔、２８０  磁気センサ、２８１  位置検出部、２８３  設定部、２８４  ストッパ、２８５  比較器、２８６  ラインセンサ、２８７  開閉器、３００  設定画面、３１０  パラメータ、３２０  バリュ、３３０  カーソル、３４０  格納領域、３５０  動画表示、３６０  操作ガイド、３６２、３６４  押しボタン、４００  ポインティングデバイス、４１０  本体、４２０  ボタン型スイッチ、４３０  ケーブル、４４０  コネクタ
【図１】
2010192410.tif 000003
【図２】
2010192410.tif 000004
【図３】
2010192410.tif 000005
【図４】
2010192410.tif 000006
【図５】
2010192410.tif 000007
【図６】
2010192410.tif 000008
【図７】
2010192410.tif 000009
【図８】
2010192410.tif 000010
【図９】
2010192410.tif 000011
【図１０】
2010192410.tif 000012
【図１１】
2010192410.tif 000013
【図１２】
2010192410.tif 000014
【図１３】
2010192410.tif 000015